(57)【要約】【課題】マルチパス環境下においても、耳障りな切替ノイズを回避できるようにアンテナの切替動作を制御するダイバシティ受信装置を提供する。【解決手段】複数のアンテナ２ａ、２ｂと、これらの複数のアンテナにそれぞれ受信される無線信号のうちの一つを選択するアンテナ切替器６と、選択された無線信号を音響信号に復調して出力可能にするとともにその無線信号の受信強度を検出する受信部８と、所望のアンテナの無線信号を所望のタイミングで受信部８に供給されるようにアンテナ切替器６を制御する制御部３と、を備えたダイバシティ受信装置１であって、その移動状態を検出する移動検出部４をさらに備え、制御部３は、受信強度と移動状態との情報に基づきアンテナ切替器６を制御する。【選択図】図１
2019009624.tif 000002
【特許請求の範囲】
【請求項１】
複数のアンテナと、
前記複数のアンテナにそれぞれ受信される無線信号のうちの一つを選択するアンテナ切替器と、
前記選択された無線信号を音響信号に復調して出力可能にするとともにその無線信号の受信強度を検出する受信部と、
所望のアンテナの無線信号を所望のタイミングで受信部に供給されるように前記アンテナ切替器を制御する制御部と、を備えたダイバシティ受信装置であって、
その移動状態を検出する移動検出部をさらに備え、
前記制御部は、前記受信強度と前記移動状態との情報に基づき前記アンテナ切替器を制御するダイバシティ受信装置。
【請求項２】
前記制御部は、
前記移動状態が移動中の場合は、選択されているアンテナより受信強度が高い他のアンテナの無線信号を選択し、その受信強度が所定のしきい値を上回らない場合にアンテナの切替を行い、
前記移動状態が移動中でない場合は、受信強度がより高いアンテナの無線信号を選択するとともにアンテナの切替を停止し、その受信強度が所定のしきい値を上回る場合にアンテナの切替の停止を解除する、
請求項１に記載のダイバシティ受信装置。
【請求項３】
前記ダイバシティ受信装置は、持ち歩き可能なケース内に収納されており、
前記複数のアンテナは、少なくとも、一つの内部アンテナと一つの外部アンテナを含む請求項１または２に記載のダイバシティ受信装置。
【請求項４】
前記ダイバシティ受信装置は、前記音響信号を対応する可聴音に変換する音響出力変換手段をさらに備え、
前記音響出力変換手段は、前記受信部に有線ケーブルで電気的に接続されており、
前記有線ケーブルは、複数のアンテナのうちのひとつを兼ねている請求項１から３のいずれか１項に記載のダイバシティ受信装置。
【請求項５】
請求項１から４のいずれか１項に記載のダイバシティ受信装置を含む無線送受信装置。
【発明の詳細な説明】
【技術分野】
【０００１】
本発明は移動体通信などに用いられるアンテナダイバシティの手法に関し、受信信号の信号強度（以下、「受信強度」という。）が所定のしきい値を下回った場合に別の系統のアンテナを選択するダイバシティ受信装置に関する。
【背景技術】
【０００２】
従来から、微弱な電波を受信する場合、反射波等の干渉が原因で発生する信号の絶えを防止するために複数のアンテナを用いるダイバシティ受信装置が使用されている。このアンテナダイバシティの手法は、複数のアンテナを用いて、たとえば第１のアンテナの電波の受信強度がある一定のしきい値を下回ったら第２のアンテナで受信するように複数のアンテナを切り替る技術である。
【０００３】
従来のダイバシティ受信装置の一例について、図５にそのブロックダイアグラム、図６にその概略フローチャートを示す。
この従来例は、受信装置１´の内部に主アンテナ２ａ´、受信装置１´に脱着可能に接続されたイヤホンケーブルなどで代用したアンテナを副アンテナ２ｂ´とし、さらに、アンテナ切り替え器６´、受信部８´及び制御部３´を備えており、制御部３´は、受信部８´で検出した受信強度が入力され、アンテナ切替器６´にアンテナ切替信号を出力して、複数のアンテナを切り替えている。
そして、図６に示すように、制御部（アンテナ切り替え手段）３´のアンテナ切替処理は、受信強度を取得し（Ｓ２０´）、これを所定のしきい値と比較し（Ｓ３０´）、しきい値を上回れば受信環境良好と判断して処理を続け、そうでない場合は、他のアンテナに切り替える処理を行う（Ｓ５０´）。
【０００４】
このような処理によるアンテナの切替状態の一例を図３（ａ）に示す。同図では、主アンテナ２ａ´の受信信号を細実線、副アンテナ２ｂ´の受信信号を細破線、切り替えられた受信アンテナの受信信号を太線、しきい値を一点鎖線で示している。
同図のポイントＰ１２に示すように、主アンテナ２ａ´の受信強度（細実線）が低下してしきい値（１点鎖線）を下回ると、受信アンテナは副アンテナ２ｂ´に切替られる（Ｐ１２）。ポイントＰ１２では、副アンテナ２ｂ´の受信強度が主アンテナ２ａ´より高いので、切り替えにより受信状態は改善される。通常は、このように、受信状態がより良いアンテナを選択することでダイバシティ効果が得られ、良好な受信出力が得られる。
【０００５】
しかし、切り替えられた副アンテナ２ｂ´の強度が低下していき、同図ポイントＰ１３に示すように、副アンテナ２ｂ´の受信強度（細実線）がしきい値（１点鎖線）を下回ると、受信アンテナは主アンテナ２ａ´に切替られる（Ｐ１３）。ポイントＰ１３では、切り替え直後の主アンテナ２ａ´の受信強度がしきい値よりも低いので、受信強度がさらに低いアンテナに切り替えることになるため、受信状態は悪化する。これでは、ダイバシティ効果が得られない。
このため、その対策としてアンテナを再び切り替えて、受信強度がしきい値よりも高くなるまで一定時間の間隔で切替動作を続けるという手法が提案されている(非特許文献１)。
【先行技術文献】
【非特許文献】
【０００６】
【非特許文献１】奥村・進士監修「移動通信の基礎」1986年電子情報通信学会発行
【０００７】
しかしながら、このような手法では、図３（ｂ）に示すように、アンテナの切替が頻繁に行われその動作の度に切替ノイズが受信信号に重畳し、この結果、受信部８´から出力される音響信号に耳障りなノイズが発生する（Ｐ１３〜Ｐ１５）。特に、マルチパスフェージングが発生し、全てのアンテナの受信強度がアンテナの切替基準値であるしきい値よりも低くなっている環境（以下、「マルチパス環境」という。）では、従来例の受信装置１´の使用者は切替ノイズを聞き続けることになる。このような場合、使用者が速やかに移動してマルチパス環境から脱することができればノイズを回避することはできるが、使用者が移動できない場合や移動が困難な場合は切替ノイズを回避することができない。
【発明の概要】
【発明が解決しようとする課題】
【０００８】
そこで、本発明は、このようなマルチパス環境下においても、耳障りな切替ノイズを回避できるようにアンテナの切替動作を制御するダイバシティ受信装置を提案する。
【課題を解決するための手段】
【０００９】
（１）
本発明は、上記課題を解決するために提案されたものであって、下記の構成からなる。すなわち、複数のアンテナと、これらの複数のアンテナにそれぞれ受信される無線信号のうちの一つを選択するアンテナ切替器と、選択された無線信号を音響信号に復調して出力可能にするとともにその無線信号の受信強度を検出する受信部と、所望のアンテナの無線信号を所望のタイミングで受信部に供給されるようにアンテナ切替器を制御する制御部と、を備えたダイバシティ受信装置であって、その移動状態を検出する移動検出部をさらに備え、制御部は、受信強度と移動状態の情報に基づきアンテナ切替器を制御することを特徴とする。
【００１０】
これにより、受信装置の移動状態を検出してその使用者の移動状態が把握できるので、移動中でないときと移動中であるときとに場合分けして、アンテナの切替を制御することができ、切替ノイズの発生を抑制することができる。
【００１１】
（２）
また、この場合、制御部は、移動中の場合は、選択されているアンテナより受信強度が高いアンテナの無線信号を選択し、その受信強度が所定のしきい値を上回らない場合にアンテナの切替を行い、移動中でない場合は、選択されているアンテナより受信強度が高いアンテナの無線信号を選択するとともにアンテナの切替を停止し、その受信強度が所定のしきい値を上回る場合にアンテナの切替の停止を解除することが好ましい。
【００１２】
これにより、移動状態により場合分けを行い、さらに受信強度によりアンテナの切替停止及びその解除を行うことができるので、切替ノイズの発生を効果的に抑制することができる。
【００１３】
（３）
ダイバシティ受信装置は、持ち歩き可能なケース内に収納されており、
複数のアンテナは、少なくとも、一つの内部アンテナと一つの外部アンテナを含むことが好ましい。
【００１４】
これにより、受信装置の持ち歩きが便利であるとともに、異なるアンテナによる効果的な空間ダイバシティ効果を得ることができる。
【００１５】
（４）
また、ダイバシティ受信装置は、音響信号を対応する可聴音に変換する音響出力変換手段をさらに備え、音響出力変換手段は、受信部に有線ケーブルで電気的に接続されており、有線ケーブルは、複数のアンテナのうちのひとつを兼ねていることが好ましい。
【００１６】
これにより、使用者は、イヤホン等の音響出力変換手段から、音響信号に対応する音を聞き取ることができるとともに、電気的な接続に用いる有線ケーブルをアンテナのひとつとして兼用できるので、効果的に異なる空間のアンテナを用いるダイバシティ効果を得ることができるだけでなく、全体の部品点数が削減でき、使用者にとっても使いやすくすることができる。
【００１７】
（５）
また、本発明は、上述のダイバシティ受信装置を含む無線送受信装置である。
【００１８】
これにより、無線送受信装置において、受信時の受信状態が改善される。
【発明の効果】
【００１９】
本発明は、以上のように構成されているので、マルチパス環境下においても改善されたダイバシティ効果を得ることができる。
【発明を実施するための形態】
【００２０】
以下に、図面を参照して本発明を実施するための形態について説明する。
【００２１】
（構成）
図１は、本発明の実施形態であるダイバシティ受信装置の構成を示すブロックダイアグラムである。なお、本実施形態では、デジタル変調信号を受信する。
本例のダイバシティ受信装置１は、２本の受信アンテナ、すなわち、第１のアンテナ２ａ（「主アンテナ」ともいう。以下、同じ。）と第２のアンテナ２ｂ（「副アンテナ」ともいう。以下、同じ。）と、
これらのアンテナ２ａ、２ｂにそれぞれ受信される無線信号のうちの一つを選択するアンテナ切替器６と、
選択された無線信号を音響信号に復調して出力可能にするとともにその無線信号の受信強度を検出する受信部８と、
所望のアンテナの無線信号を所望のタイミングで受信部８に供給されるようにアンテナ切替器６を制御する制御部３と、を備えたダイバシティ受信装置１であって、
その移動状態を検出する移動検出部４をさらに備え、
制御部３は受信強度と移動状態の情報に基づきアンテナ切替器６を制御する。
【００２２】
（アンテナ）
第１のアンテナ２ａは、デジタル変調された電波Ｗａを受信してその受信信号を受信部８のアンテナ切替器６の第１の入力ポートに供給する。また、第２のアンテナ２ｂは、第１のアンテナ２ａとは別系統のアンテナであり、同一の送信源から送出された電波Ｗｂを受信してその受信信号をアンテナ切替器６の第２の入力ポートに供給する。
【００２３】
（アンテナ切替器）
アンテナ切替器６は、アンテナ２ａ、２ｂでそれぞれ得られた受信信号Ｗａ、Ｗｂを所定のタイミングで受信部３の入力ポートに入力するように、制御部３が供給する切り替え制御信号に応じて選択し切り替える。
【００２４】
（受信部）
本発明の受信部８は、受信したデジタル無線信号について既知の手法でベースバンド信号である音響信号を出力可能になるよう復調する。また、デジタル無線信号の受信強度について検出する。
【００２５】
（受信強度の検出）
受信部３は、アンテナ切替器６で選択された受信信号の信号強度を検出する。検出は、中間周波数（ＩＦ）に変換する前の高周波の段階行ってもよく、また、変換の後の中間周波数の段階で行ってもよい。
【００２６】
（移動検出部）
移動検出部４は、制御部３で移動状態に関する判断を行うために、その基礎情報となる移動情報を検出する。本例では加速度センサーなどの振動検出手段を用いているが、ＧＰＳなどの位置情報検出手段を用いることができる。
移動検出部４において加速度センサーを用いる場合は、本例の受信装置１の加速度を検出して移動情報として制御部３に出力し、制御部３でこれを用いて移動の有無を判断する。また、移動検出部４において移動情報を生成することもできる。
移動検出部４においてＧＰＳを用いる場合は、本例の受信装置１の位置情報を検出して制御部３に出力し、制御部４でこれを用いて他の時間情報などとともに移動の有無を判断することができる。
【００２７】
（受信部の音響信号出力）
受信部８は、ベースバンド信号である音響信号をアナログ音響信号に変換することができる。変換されたアナログ音響信号を音としての物理振動を得るために、たとえば、イヤホンなどの音響出力変換手段（不図示）を受信部に接続することができる。この場合、これらの音響に変換する音響出力変換手段を用いて使用者の耳に音響出力を到達させることができる。
【００２８】
（制御部）
制御部３はＣＰＵ、メモリなどからなり、アンテナ選択処理を行うアンテナ選択手段３を含んでいる。アンテナ選択手段３は、受信部８の受信強度信号と移動検出部４の移動情報が入力されて、切り替え制御信号をアンテナ切り替え器６に向けて出力する。アンテナ選択処理の詳細は後述する。
制御部３は、アンテナ選択手段として、受信部８からの受信強度信号と移動検出部４からの移動情報信号を基に切り替え制御信号をアンテナ切替器６に出力し、アンテナ切替器６を制御していずれかのアンテナを選択する。
どのアンテナを選択するかというダイバシティの判定は、受信強度の他に、たとえば、受信信号のＳ／Ｎ比を基準に一定のＳ／Ｎ比をしきい値として判断することができる。
【００２９】
（収納ケース）
アンテナ切替器６、受信部８、制御部３、移動検出部４は、収納ケース（不図示）に収納することができる。これにより、可搬性が向上し、使い勝手がよくなる。
この場合、複数のアンテナ２のうちの主アンテナ２ａも併せて収納し内部アンテナとしてもよい。このとき、副アンテナ２ｂも併せて収納し内部アンテナとしてもよく、また、副アンテナ２ｂは収納ケース外に備えて外部アンテナとしてもよい。外部アンテナは着脱自在でもよい。
【００３０】
（音響出力変換手段の利用）
副アンテナ２ｂを外部アンテナとする場合、制御部３の音響信号を取り出すために音響信号出力手段を有線ケーブルを介して制御部３に接続し、この有線ケーブルを副アンテナ２ｂに用いて、兼用アンテナとして利用してもよい。
このようにすると、異なる空間にある異なる系統の複数のアンテナを用いるので、効果的にダイバシティ効果を得ることができる。
【００３１】
（無線送受信装置）
本例の受信装置１は、送受信装置を一体とした無線送受信装置（不図示）の無線受信装置部に採用することができる。このように無線送受信装置に本例の受信装置を組み込むと、ダイバシティ効果を得ることができるので、無線送受信装置の受信機能を効果的に高めることができる。
【００３２】
（アンテナ切替処理）
図２に、本例の制御部３のアンテナ切替処理の概略フローチャートを示す。図２に示
す無限ループにより処理される。なお、受信強度取得のためのメモリとして、ＲＳＳＩ１とＲＳＳＩ２が制御部３に用意されている。前者は、現在選択されているアンテナの受信強度を格納するもので、後者は切り替え先のアンテナの受信強度を格納するものである。
【００３３】
アンテナ切替処理の概略を述べる。ダイバシティの動作状態を示すダイバシティの動作状態を示す変数iを準備し、ｉ＝０の場合は動作状態、ｉ＝１の場合は停止状態とし、初期状態はｉ＝０（動作状態）とする。
アンテナ２で受信されている受信強度を制御部３で取得しＲＳＳＩ１として保存し、しきい値を下回り、かつダイバシティ動作中の場合はアンテナを他方のアンテナへ切り換える。しきい値を下回っていてもダイバシティ動作が停止中の場合はアンテナを切り換えない(図２(ii)の処理)。ＲＳＳＩ１がしきい値を上回る場合アンテナの切り換えは行わないで現状維持し、ダイバシティ動作が停止中の場合は動作状態へ変更する（図２(i)の処理）。
【００３４】
前述のアンテナ切り換え後の受信強度を制御部３で取得しＲＳＳＩ２として保存し、しきい値を上回る場合は十分な受信状態であるため、アンテナは切り換えないで現状維持し、ダイバシティ停止中の場合は動作状態へ変更する。ＲＳＳＩ２がしきい値以下で移動検出がない場合（移動中でない場合）はダイバシティ動作を停止する。そして、ＲＳＳＩ１とＲＳＳＩ２の値を比較しＲＳＳＩ１(アンテナ切り換え前のＲＳＳＩ値)の方が大きい場合はアンテナを切り換える。ＲＳＳＩ２(アンテナ切り換え後のＲＳＳＩ値)の方が大きい場合はアンテナを切り換えずに現状維持する。移動検出がある場合（移動中の場合）はアンテナを切り換える。
【００３５】
図２のフローチャートの(i)〜(iv)の処理について説明する。
(i)電波状態が常に良好な場合の処理。アンテナは切り換わらず電波状況が悪くなるまでループする。
(ii)使用者が停止していて（移動が検出されず）、電波状態が常に悪い場合の処理。現在選択されているアンテナで電波状態が良好になるまでループする。
(iii)電波状態が悪くなり、アンテナを切り換えたら電波状態が良好だった場合の処理。
(iv)使用者が動いていて（移動が検出され）、電波状態が常に悪い場合の処理。アンテナを切り換えながら、電波状態が良好になるまでループする。
【００３６】
（ダイバシティ動作状態の処理）
以下、ダイバシティ動作中の処理の詳細を図２に基づいて説明する。同図中(i)と(iii)で示す処理フローが主として該当する。
（Ｓ１０）アンテナ切り替え処理を開始すると、まずダイバシティ動作フラグｉを「動作中」にする（ｉ＝０とする）。なお、主アンテナ２ａで受信しているものとして、以下説明するが、副アンテナ２ｂで受信する場合もある。
（Ｓ２０）次に、主アンテナ２ａの受信強度を受信部８から取得し、ＲＳＳＩ１に格納する。
（Ｓ３０）続いて、ＲＳＳＩ１に格納した主アンテナ２ａの受信強度が所定のしきい値を上回るかどうかチェックする。ＹＥＳの場合(上回る場合）は、「電波環境が良好である」と評価してアンテナ切り替え処理の最初のＳ１０の処理に戻り、ＲＳＳＩ１に現在選択されている主アンテナ２ａの受信強度を取得して格納する（同図中の(i)で示す処理フロー）。ＮＯの場合（上回らない場合）は、副アンテナ２ｂに切り替えるべくＳ４０に進む。
（Ｓ４０）ダイバシティ動作フラグｉをチェックし、「動作中」（ｉ＝０）であればＳ５０に進む。なお、ダイバシティが停止中（ｉ＝１）であればＳ２０にもどる（同図中、(ii)で示す処理フロー。後述する）。
（Ｓ５０）アンテナを副アンテナ２ｂに切り替えて、Ｓ６０に進む。
（Ｓ６０）次に、切り替え後の副アンテナ２ｂの受信強度を受信部８から取得し、ＲＳＳＩ２に格納する。
（Ｓ７０）続いてＲＳＳＩ２に格納した副アンテナ２ｂの受信強度が所定のしきい値を上回るかどうかチェックを行う。ＹＥＳの場合(上回る場合）は、「電波環境が良好である」と評価してアンテナ切り替え処理の最初のＳ１０の処理に戻り、ＲＳＳＩ１に現在選択されている副アンテナ２ｂの受信強度を取得して格納する（図中の(iii)で示す処理フロー）。ＮＯの場合（上回らない場合）は、Ｓ８０の移動検出に進む。
【００３７】
（ダイバシティ停止状態への移行）
次にダイバシティ停止状態に移行する場合を説明する。
（Ｓ８０）検出部から受ける移動情報に基づき、移動検出の有無をチェックする。移動検出がある場合（移動中の場合）は、ダイバシティ動作を維持すべく、Ｓ９０に進む。ない場合は、ダイバシティ動作を停止すべく、Ｓ８２に進む。
（Ｓ８２）ダイバシティ動作フラグｉを停止中にする（ｉ＝1とする）。
（Ｓ８４）ＲＳＳＩ１とＲＳＳＩ２を比較する。切り替え前の主アンテナ２ａの受信強度（ＲＳＳＩ１）が切り替え後の副アンテナ２ｂの受信強度（ＲＳＳＩ２）を上回る場合（ＹＥＳの場合）は、Ｓ９０に進む。上回らない場合（ＮＯの場合）は、そのまま副アンテナ２ｂを用いてダイバシティ停止状態で受信を継続すべくＳ２０に戻る。すなわち、ダイバシティを停止するとともに、主アンテナ２ａと副アンテナ２ｂのうち、受信強度の高いアンテナが選択される。
（Ｓ９０）アンテナを切り替える。移動検出がない場合は、ダイバシティ停止状態となってより受信強度の高いアンテナが選択されてＳ２０に戻る。
【００３８】
（ダイバシティ停止状態の処理）
次に、ダイバシティ停止中の場合を説明する（同図中(ii)で示す処理フロー）。
（Ｓ２０）選択しているアンテナの受信強度を受信部８から取得し、ＲＳＳＩ１に格納する。より受信強度の高いアンテナが選択されているため、主アンテナ２ａの場合と副アンテナ２ｂの場合がある。
（Ｓ３０）次にＲＳＳＩ１に格納した主アンテナ２ａまたは副アンテナ２ｂの受信強度が所定のしきい値を上回るかどうかチェックを行う。ＹＥＳの場合(上回る場合）は、「電
波環境が良好である」と評価してアンテナ切り替え処理の最初のＳ１０に戻り、ダイバシティ停止状態を解除してダイバシティ動作状態に戻り、Ｓ２０以下の処理を続ける。ＮＯの場合（上回らない場合）は、切り替え動作はせずに停止を維持すべくＳ４０に進む。
（Ｓ４０）ダイバシティ動作フラグｉをチェックし、ダイバシティ動作が停止中（ｉ＝０）であるからＳ２０に戻り、Ｓ２０→Ｓ３０→Ｓ４０の処理を繰り返す（(ii)の処理フロー）。Ｓ３０で、しきい値を上回るまでダイバシティ動作を停止し、アンテナの切り替えを行わない。
【００３９】
（アンテナの切り替え動作の例）
本例のアンテナの切り替え動作の特徴的な例を図４に示す。図４は、移動検出がない場合を示す。
（最初からポイントＰ１２まで）
ダイバシティ動作中に主アンテナ２ａが選択されているものとして考えると、主アンテナ２ａの受信強度が低下していくが、副アンテナ２ｂの受信強度に関わらず、所定のしきい値を上回っている場合は、主アンテナ２ａが選択されて受信がされる（Ｓ１０→Ｓ２０→Ｓ３０）。
(ポイントＰ１２)
主アンテナ２ａの受信強度が所定のしきい値を上回れなくなると（Ｐ１２、Ｓ３０）、副アンテナ２ｂに切り替わる（Ｓ５０）。この場合、副アンテナ２ｂは所定のしきい値より大きいので、副アンテナ２ｂの電波は良好という判断で副アンテナ２ｂが選択されて受信がされる（Ｓ５０→Ｓ６０→Ｓ７０→Ｓ１０）。
(ポイントＰ１２からＰ１３まで)
選択中の副アンテナ２ｂにて受信強度が所定のしきい値を上回れなくなるまで、ルートｉの経路（Ｓ１０→Ｓ２０→Ｓ３０→Ｓ１０）で処理する。
【００４０】
(ポイントＰ１３)
選択中の副アンテナ２ｂにて受信強度が所定のしきい値を上回れなくなると（Ｐ１３、Ｓ３０）、主アンテナ２ａに切り替わる（Ｓ５０）。ＲＳＳＩ２にはアンテナ切替後の主アンテナ２ａでの受信強度値が格納される（Ｓ６０）。ＲＳＳＩ２は所定のしきい値よりも小さいため（Ｓ７０）、移動検出をチェックする（Ｓ８０）。
この場合は、移動検出がないのでダイバシティ動作を停止するとともに（Ｓ８２）、
ＲＳＳＩ１＞ＲＳＳＩ２のため（Ｓ８４）、アンテナを副アンテナ２ｂへ切り替える（Ｓ９０）。
(ポイントＰ１３からＰ１６まで)
副アンテナ２ｂでの受信を維持してその受信強度を取得する（Ｓ２０）。そして、副アンテナ２ｂの受信強度が所定のしきい値を上回るまでこの状態を維持して（Ｓ２０→Ｓ３０→Ｓ４０→Ｓ２０）、上回った後に（Ｓ３０）、ダイバシティ動作の停止状態を解除し（Ｓ１０）、ダイバシティ動作中の処理に戻る。
このように移動状態が移動中でない場合は、受信強度がより高いアンテナの無線信号を選択するとともにアンテナの切替を停止し、その受信強度が所定のしきい値を上回った場合にアンテナの切替の停止を解除する。このため、切替ノイズの発生を効果的に抑制することができる。
なお、移動検出がある場合は、電波状態の改善が見込めるため、従来例と同様の切り替え処理を行う。
【００４１】
（他の実施形態）
本発明は、上記実施形態に限定されるものではなく、特許請求の範囲の記載に基づく他の実施形態も含むものである。そのような変形例も本発明の範囲内であることは言うまでもない。
たとえば、上記実施形態ではデジタル変調信号を受信する受信装置であるが、ＦＭラジオなどのアナログ変調信号にも適用することができる。
【図面の簡単な説明】
【００４２】
【図１】本発明のダイバシティ受信装置の構成を示すブロックダイアグラムである。
【図２】本発明の動作を説明したフローチャートである。
【図３】従来のアンテナの切り替え動作の状態の説明図である。図３（ａ）は、移動がある場合、図３（ｂ）は移動がない場合である。
【図４】本発明のアンテナの切り替え動作の状態の説明図である。
【図５】従来のダイバシティ受信装置の構成を示すブロックダイアグラムである。
【図６】従来の動作を説明したフローチャートである。
【符号の説明】
【００４３】
１...ダイバシティ受信装置
２ａ...第１のアンテナ（主アンテナ）
２ｂ...第２のアンテナ（副アンテナ）
３...制御部（アンテナ選択手段）
４...移動検出部（移動検出手段）
６...アンテナ切替器（アンテナ切替手段）
７...音響出力変換手段
８...受信部（受信復調手段）
Ｗａ、Ｗｂ...電波（無線信号）
１´...ダイバシティ受信装置（従来例）
２ａ´、２ｂ´...アンテナ（従来例）
３´...制御部（従来例）
６´...アンテナ切替器（アンテナ切替手段）（従来例）
８´...受信部（受信復調手段）（従来例）
【図１】
2019009624.tif 000003
【図２】
2019009624.tif 000004
【図３】
2019009624.tif 000005
【図４】
2019009624.tif 000006
【図５】
2019009624.tif 000007
【図６】
2019009624.tif 000008